(57)【要約】【課題】 ＭＰＥＧ４を全体的にサポート無しのＤＭＢ受信機においても、デコーディングされたＡ/Ｖ信号を受信してディスプレイし得るＤＭＢ送信機/受信機及びその送信/受信方法を提供する。【解決手段】本発明のＤＭＢ送信機は、ＩＯＤシンタックスの所定位置にオーディオオブジェクトのESディスクリプタとビジュアルオブジェクトの ESディスクリプタのうち少なくとも何れか一つを含み、ＩＯＤを包含するデータをＭＰＥＧ４アルゴリズムによりコーディングするＭＰＥＧ４システムと、ＩＯＤをＰＳＩテーブルに包含させて、ＰＳＩテーブルとＭＰＥＧ４システムから受信されたデータをＭＰＥＧ２方式によりコーディングして伝送するＭＰＥＧ２システムと、を含む。【選択図】  図２
2005006336.tif 000002
【特許請求の範囲】
【請求項１】
ＩＯＤ(イニシャル  オブジェクト  ディスクリプタ)シンタックスの所定位置にオーディオオブジェクトのESディスクリプタとビジュアルオブジェクトのESディスクリプタのうち少なくとも何れか一つを包含させて、前記ＩＯＤにより指示するデータをＭＰＥＧ４アルゴリズムによりコーディングするＭＰＥＧ４システムと、
前記ＩＯＤをＰＳＩ(プログラム  スペシフィック  インフォメーション)テーブルに包含させて、該ＰＳＩテーブルと前記ＭＰＥＧ４システムから受信されたデータをＭＰＥＧ２方式によりコーディングして伝送するＭＰＥＧ２システムと、を含んで構成されることを特徴とするＤＭＢ送信機。
【請求項２】
前記オーディオオブジェクトのESディスクリプタとビジュアルオブジェクトのESディスクリプタは、前記ＩＯＤシンタックスのESディスクリプタフィールド内に含まれることを特徴とする請求項１記載のＤＭＢ送信機。
【請求項３】
前記ＩＯＤシンタックスは、さらに、オブジェクト  ディスクリプタ(ＯＤ)ストリームに関する情報、シーン  ディスクリプタ(ＳＤ)ストリームに関する情報、オーディオストリームに関する情報及びビジュアルストリームに関する情報のうち少なくとも何れか一つを含むことを特徴とする請求項１記載のＤＭＢ送信機。
【請求項４】
前記シーン  ディスクリプタ(ＳＤ)ストリームに関する情報は、使用者と話し合える対話型コンテンツ表現方式に対する情報を有するＢＩＦＳ(シーン  ディスクリプション用バイナリーフォーマット)を含むことを特徴とする請求項３記載のＤＭＢ送信機。
【請求項５】
前記ＰＳＩテーブルは、ＳＬ(同期レイヤー) ディスクリプタを更に含むことを特徴とする請求項１記載のＤＭＢ送信機。
【請求項６】
前記ＰＳＩテーブルは、ＰＭＴ(プログラム  マップ  テーブル)であることを特徴とする請求項１記載のＤＭＢ送信機。
【請求項７】
前記ＭＰＥＧ２システムは、前記データをＯＦＤＭ(直交波周波数分割多重)方式で伝送することを特徴とする請求項１記載のＤＭＢ送信機。
【請求項８】
ＩＯＤ(イニシャル  オブジェクト  ディスクリプタ)シンタックスの所定位置にオーディオオブジェクトのESディスクリプタとビジュアルオブジェクトのESディスクリプタのうち少なくとも何れか一つを含むＭＰＥＧ４システムと、前記ＩＯＤをＰＳＩ(プログラム  スペシフィック  インフォメーション)テーブルに包含させて伝送するＭＰＥＧ２システムとを有して、ＤＭＢ送信機からＤＭＢ信号を受信するＤＭＢ受信機において、
前記ＤＭＢ信号から前記ＰＳＩテーブルをパーシングし、該パーシングされたＰＳＩテーブル内のＩＯＤのオーディオオブジェクトのESディスクリプタとビジュアルオブジェクトのESディスクリプタを利用してオーディオストリームとビジュアルストリームの情報を抽出するＭＰＥＧ２システムを含んで構成されることを特徴とするＤＭＢ受信機。
【請求項９】
前記ＤＭＢ信号の入力を受けて周波数/時間デインターリービング及びエラー訂正復号化を遂行し、前記復号化されたＤＭＢ信号を前記ＭＰＥＧ２システムに出力するユーレカ-(Eureka)１４７システムを更に含んで構成されることを特徴とする請求項８記載のＤＭＢ受信機。
【請求項１０】
ＩＯＤ(イニシャル  オブジェクト  ディスクリプタ)シンタックスの所定位置にオーディオオブジェクトのESディスクリプタとビジュアルオブジェクトのESディスクリプタのうち少なくとも何れか一つを含むＭＰＥＧ４システムと、前記ＩＯＤをＰＳＩ(プログラム  スペシフィック  インフォメーション)テーブルに包含させて伝送するＭＰＥＧ２システムとを有するＤＭＢ送信機の送信方法において、
前記ＩＯＤシンタックスの所定位置にオーディオオブジェクトのESディスクリプタとビジュアルオブジェクトのESディスクリプタのうち少なくとも何れか一つを包含させる段階と、
前記ＩＯＤにより指示するデータをＭＰＥＧ４アルゴリズムによりコーディングする段階と、
前記ＩＯＤをＰＳＩテーブルに包含させて、前記ＰＳＩテーブルと前記ＭＰＥＧ４アルゴリズムによりコーディングされたデータをＭＰＥＧ２方式によりコーディングして伝送する段階と、を順次行うことを特徴とするＤＭＢ送信機の送信方法。
【請求項１１】
前記オーディオオブジェクトのESディスクリプタとビジュアルオブジェクトのESディスクリプタは、前記ＩＯＤシンタックスのESディスクリプタフィールド内に含まれることを特徴とする請求項１０記載のＤＭＢ送信機の送信方法。
【請求項１２】
前記ＩＯＤシンタックスは、オブジェクト  ディスクリプタ(ＯＤ)ストリームに関する情報、シーン  ディスクリプタ(ＳＤ)ストリームに関する情報、オーディオストリームに関する情報及びビジュアルストリームに関する情報のうち少なくとも何れか一つを含むことを特徴とする請求項１０記載のＤＭＢ送信機の送信方法。
【請求項１３】
前記シーン  ディスクリプタ(ＳＤ)ストリームに関する情報は、使用者と話し合えるコンテンツ表現方式に対する情報を有するＢＩＦＳ(シーン  ディスクリプション用バイナリーフォーマット)を含むことを特徴とする請求項１２記載のＤＭＢ送信機の送信方法。
【請求項１４】
前記ＰＳＩテーブルは、ＳＬ(同期レイヤー) ディスクリプタを更に含むことを特徴とする請求項１０記載のＤＭＢ送信機の送信方法。
【請求項１５】
前記ＰＳＩテーブルは、ＰＭＴ(プログラム  マップ  テーブル)であることを特徴とする請求項１０記載のＤＭＢ送信機の送信方法。
【請求項１６】
前記伝送する段階において、前記ＭＰＥＧ２方式によりコーディングされたデータは、ＯＦＤＭ(直交波周波数分割多重)方式で伝送することを特徴とする請求項１０記載のＤＭＢ送信機の送信方法。
【請求項１７】
ＩＯＤ(イニシャル  オブジェクト  ディスクリプタ)シンタックスの所定位置にオーディオオブジェクトのESディスクリプタとビジュアルオブジェクトのESディスクリプタのうち少なくとも何れか一つを含むＭＰＥＧ４システムと、前記ＩＯＤをＰＳＩ(プログラム  スペシフィック  インフォメーション)テーブルに包含させて伝送するＭＰＥＧ２システムとを有して、ＤＭＢ送信機からＤＭＢ信号を受信するＤＭＢ受信機の受信方法において、
前記ＤＭＢ信号から前記ＰＳＩテーブルをパーシングする段階と、
該パーシングされたＰＳＩテーブル内のＩＯＤのオーディオオブジェクトのESディスクリプタとビジュアルオブジェクトのESディスクリプタを利用してオーディオストリームとビジュアルストリームとの情報を抽出する段階と、
該分離されたオーディオストリームとビジュアルストリームをディスプレイするように出力する段階と、を順次行うことを特徴とするＤＭＢ受信機の受信方法。
【請求項１８】
前記パーシングする段階の以前に、前記ＤＭＢ信号の入力を受けて周波数/時間デインターリービング及びエラー訂正復号化を遂行する段階を更に含んで構成されることを特徴とする請求項１７記載のＤＭＢ受信機の受信方法。
【発明の詳細な説明】
【技術分野】
【０００１】
本発明は、デジタルマルチメディア放送(ＤＭＢ)を送/受信する送信機/受信機及びその送信/受信方法に関する。
【背景技術】
【０００２】
最近、CD、DVDなどの優れた音質のデジタルオーディオ機器が急速に普及し、高級音質を要求するデジタルマルチメディア放送に対する使用者の要求がますます増加している。このため、既存のFM放送が提供し得る音質の限界を克服するため、ヨーロッパ、カナダ、アメリカなどでデジタルオーディオ放送が行われている。上記ＤＡＢシステムは、現在のＡＭ放送やＦＭ放送とは全然異なる技術を利用して高品質の音質だけでなく、移動中にも優れた受信能力を有し、映像や文字などのようなデジタルデータも高速で送信し得る特性を有している。最近、オーディオ放送よりも映像を含んだ様々なマルチメディアサービスを強調してデジタルマルチメディア放送(ＤＭＢ)と呼称されている。
【０００３】
即ち、デジタルマルチメディア放送では、移動端末機にＤＭＢ受信機やＤＭＢ受信パックを装着すると、移動端末機は圧縮アルゴリズムを利用して符号化した同映像をデコーディングしてディスプレイすることができる。すると、使用者は移動携帯端末機を通って多様なマルチメディアサービスの提供を受けることができる。
【０００４】
映像データの圧縮形式の1つであるＭＰＥＧ４は、いくつかの構成要素から成り、ＤＭＢ放送で使用する部分は、ＩＳＯ/ＩＥＣ１４４９６−１、ＩＳＯ/ＩＥＣ１４４９６−３、ＩＳＯ/ＩＥＣ１４４９６−１０である。このうち最初のＩＳＯ/ＩＥＣ１４４９６−１はコンテンツを構成するのに必要な同期情報と画面を構成するために必要な情報だけでなく、他のシステムをコーディング及びデコーディングするアルゴリズムを含んでいる。二番目のＩＳＯ/ＩＥＣ１４４９６−３は、オーディオを圧縮及び復元するアルゴリズムを構成し、最後のＩＳＯ/ＩＥＣ１４４９６−１０はビデオを圧縮及び復元するアルゴリズムを構成している。
【０００５】
一般に、ＤＭＢ送信機は、多様なサービスを提供するためにＭＰＥＧ４アルゴリズムを利用して各データを圧縮及びコーディングし、ＭＰＥＧ２のシステムを利用して伝送に利用する。
【０００６】
即ち、ＤＭＢ送信機では、Ａ/Ｖ放送の伝送のための多重化は、ＭＰＥＧ２システムを使用し、各放送に必要なコンテンツの同期化と付加データ放送の形式は、ＭＰＥＧ４システムの規格に従う。
【０００７】
図１は、一般的なＤＭＢ送信機から提供されるＭＰＥＧ４タイプのエレメントストリームの構成を示す図面である。
【０００８】
そして、下記は、ＭＰＥＧ４で定義するＩＯＤ(イニシャル  オブジェクト  ディスクリプタ) のシンタックス(syntax)を示している。
class InitialObjectDescriptor extends ObjectDescriptorBase : bit(8)
tag=InitialObjectDescrTag [
bit(10) ObjectDescriptorID;
bit(1) URL-Flag;
bit(1) includeInlineProfileLevelFlag;
const bit(4) reserved=0b1111;
if (URL-Flag) [
bit(8) URLlength;
bit(8) URLstring[URLlength];
] else [
bit(8) ODProfileLevelIndication;
bit(8) sceneProfileLevelIndication;
bit(8) audioProfileLevelIndication;
bit(8) visualProfileLevelIndication;
bit(8) graphicsProfileLevelIndication;
ESディスクリプタ esDescr[1 .. 255];
OCI-Descriptor ociDescr[0 .. 255];
IPMP-DescriptorPointer ipmpDescrPtr[0 .. 255];
]
ExtensionDescriptor extDescr[0 .. 255];
]
【０００９】
図１及び前記ＩＯＤシンタックスから見ると、ＩＯＤのESディスクリプタフィールドには、オブジェクト  ディスクリプタ[object descriptor (ＯＤ)]のストリームに対する情報とシーンディスクリプタ[scene descriptor(ＳＤ)]のストリームに対する情報が含まれている。即ち、IＯＤは、ＳＤのＢＩＦＳ(シーンディスクリプション用バイナリーフォーマット)とＯＤとを連結させるポインタの役割をする。IＯＤシンタックスには、データタイプを示すストリームタイプを包含していて、該ストリームタイプに対応するパケットの識別番号であるES-ID(Elementary  Stream  IDntifier)のような論理的チャンネルを包含している。例えば、ESディスクリプタに含まれている ES-IDが１０３であるデータはＳＤ情報を含むストリームであると仮定し、類似にESディスクリプタに含まれているES-IDが１０３であるデータは、ＯＤ情報を含むストリームであると仮定する。
【００１０】
そして、ＳＤには、圧縮符号化された映像や音声、オブジェクトの階層関係などを包含し、ＯＤにはオブジェクトの符号化方式などを包含している。
この時、ＩＯＤのES-IDから得た場面に関する情報ＳＤには、ＢＩＦＳ(シーンディスクリプション用バイナリーフォーマット)が包含されている。このＢＩＦＳは、使用者と対話し得る対話型コンテンツの表現方式に対する情報を包含することができる。
【００１１】
即ち、ＤＭＢは、使用者との多様な対話型サービスを基本的に提供するマルチメディアサービス(制限する必要無し)が本格的に補給され始めた以後、登場したサービスである。従って、ＤＭＢは、使用者に動映像とオーディオサービスだけでなく、多様な付加データを提供しなければならないため、使用者との対話性(interactivity)を有しなければならない。使用者との対話性は、多様な電子商取引サービスなどと連結されて、新たなビジネスモデルを登場させるのに必須の要素として作用すると予想される。
【００１２】
ＢＩＦＳは、ツリー構造を有するＭＰＥＧ４のコンテンツの構成を表現する２進言語で、対話型３次元グラフィックデータを表現するために開発されたＶＲＭＬ(Virtual Reality Modeling Language) をその母体にしていた。
【００１３】
このように、ＤＭＢ送信機のＭＰＥＧ４システムは、ＭＰＥＧ４アルゴリズムによりコーディングされたデータをＭＰＥＧ２システムに出力し、ＭＰＥＧ２システムはコーディングされたデータをＭＰＥＧ２方式により多重化し、ＤＭＢ受信機に伝送する。
【００１４】
次いで、ＤＭＢ受信機は、ＤＭＢ送信機から伝送されるデータからＭＰＥＧ２システムに該当するIＯＤをパーシング（解析）し、このIＯＤから場面に関する情報を示すシーンディスクリプタ(ＳＤ)とオブジックトに関する情報を示すオブジェクトディスクリプタ(ＯＤ)の論理的チャンネルであるES-IDを得る。そして、ＤＭＢ受信機のＭＰＥＧ４システムは、各論理的チャンネルのES-IDに接近して場面に対する情報のＳＤとオブジェクトに対する情報のＯＤを得た後、該ＳＤとＯＤから音響或いは映像に対する論理的チャンネルのES-IDを得ることができる。
【００１５】
そして、ＤＭＢ受信機は、ＭＰＥＧ２システムと定義されたＰＩＤとＭＰＥＧ４システムで定義されたES-IDを利用し、オーディオストリームとビデオストリームとを区分してこれを、それぞれデコーディング及びディスプレイするために該当スクリーンに出力する。
【発明の開示】
【発明が解決しようとする課題】
【００１６】
しかしながら、上記ＤＭＢサービスは、色々な長所にもかかわらず、ＤＭＢと関連した産業及び市場の展開は期待とは異なってまだ低調である。色々な原因のうちの一つは、容易にＤＭＢ信号を視聴し得るＤＭＢ受信機を一般大衆に供給できなかったことである。これは、ＤＭＢに使用された各技術が高難易度の最近の技術を採用しているため、ＤＭＢ受信機の開発が難しく、製品の価額が高いからである。特に、データの処理に関連した事業を活性化するためには、ＤＭＢ受信機の価額を低下させることが重要である。また、このような理由でＤＭＢサービスが活性化されるまでには時間がかかるため、初期ＤＭＢ受信機を装着した携帯型端末機では、ＭＰＥＧ４アルゴリズムを利用して圧縮符号化されたＡ/Ｖ信号のみを視聴するという不都合な点があった。また、使用者は多様な製品群のためにＡ/Ｖのみを受信可能な方法及び装置が必要である。
【００１７】
本発明は、上記の問題点を解決するためのもので、その目的は、ＤＭＢ受信機でもＭＰＥＧ４を全体的にサポートしないＤＭＢ受信機においても、ＭＰＥＧ４にデコーディングされたＡ/Ｖ信号を受信してディスプレイし得るＤＭＢ送信機/受信機及びその送信/受信方法を提供することにある。
【課題を解決するための手段】
【００１８】
上記目的を達成するため、本発明によるＤＭＢ送信機は、ＩＯＤ(イニシャル  オブジェクト  ディスクリプタ)シンタックスの所定位置にオーディオオブジェクト[audio object]のESディスクリプタとビジュアルオブジェクト[visual object]の ESディスクリプタのうち少なくとも何れか一つを包含させて、前記ＩＯＤにより指示するデータをＭＰＥＧ４アルゴリズムにコーディングするＭＰＥＧ４システムと、前記ＩＯＤをＰＳＩ(プログラム  スペシフィック  インフォメーション)テーブルに包含させて、該ＰＳＩテーブルと前記ＭＰＥＧ４システムから受信されたデータをＭＰＥＧ２方式によりコーディングして伝送するＭＰＥＧ２システムと、を含んで構成されることを特徴とする。
【００１９】
ここで、前記オーディオオブジェクトのESディスクリプタとビジュアルオブジェクトの ESディスクリプタは、前記ＩＯＤシンタックスのESディスクリプタのフィールド内に包含し得ることを特徴とする。
【００２０】
そして、前記ＩＯＤシンタックスは、オブジェクトディスクリプタ(ＯＤ)ストリームに関する情報、シーンディスクリプタ(ＳＤ)ストリームに関する情報、オーディオストリームに関する情報、ビジュアルストリームに関する情報を包含し得ることを特徴とする。
【００２１】
そして、ＰＳＩテーブルは、ＳＬ（Sync  Layer）ディスクリプタをさらに包含し得ることを特徴とする。
ここで、ＰＳＩテーブルは、ＰＭＴ(プログラム  マップ  テーブル) であることもできることを特徴とする。
【００２２】
そして、ＭＰＥＧ２システムは、前記データをＯＦＤＭ(直交波周波数分割多重)方式により伝送し得ることを特徴とする。
【００２３】
本発明の別な構成では、ＤＭＢ受信機は、ＩＯＤシンタックスの所定位置にオーディオオブジェクトのESディスクリプタとビジュアルオブジェクトのESディスクリプタのうち少なくとも何れか一つを包含するＭＰＥＧ４システムと、前記ＩＯＤをＰＳＩテーブルに包含させて伝送するＭＰＥＧ２システムを有し、ＤＭＢ送信機からＤＭＢ信号を受信する。そして、ＭＰＥＧ２システムは、ＤＭＢ信号から前記ＰＳＩテーブルをパシングし、該パシングされたＰＳＩテーブル内のＩＯＤのオーディオオブジェクトのESディスクリプタとビジュアルオブジェクトのESディスクリプタを利用してオーディオストリームとビジュアルオブジェクトの情報を抽出するように構成されている。
【００２４】
ここで、本発明のＤＭＢ受信機は、ユーレカ（Eureka）-１４７システムにさらに含んでおり、このシステムは、ＤＭＢ信号の入力を受けて周波数/時間デインターリービング(de-interleaving)及びエラー訂正復号化を遂行し、該複合化されたＤＭＢ信号をＭＰＥＧ２システムに出力することを特徴とする。
【００２５】
また、本発明の別の構成において、ＩＯＤシンタックスの所定位置にオーディオブジェクトのESディスクリプタとビジュアルオブジェクトの ESディスクリプタを包含するＭＰＥＧ４システムと、前記ＩＯＤをＰＳＩテーブルに包含させて伝送するＭＰＥＧ２システムとを有する、ＤＭＢ送信機の送信方法は、前記ＩＯＤシンタックスの所定位置にオーディオオブジェクトのESディスクリプタとビジュアルオブジェクトの ESディスクリプタのうち少なくとも何れか一つを包含させる段階と、前記ＩＯＤにより指示されたデータをＭＰＥＧ４アルゴリズムにコーディングする段階と、前記ＩＯＤをＰＳＩテーブルに包含させて、該ＰＳＩテーブルと前記ＭＰＥＧ４アルゴリズムによりコーディングされたデータをＭＰＥＧ２方式によりコーディングして伝送する段階と、を順次行うことを特徴とする。
【００２６】
本発明の更なる構成において、ＩＯＤシンタックスの所定位置にオーディオオブジェクトのESディスクリプタとビジュアルオブジェクトの ESディスクリプタのうち少なくとも何れか一つを包含するＭＰＥＧ４システムと、前記ＩＯＤをＰＳＩテーブルに包含させて伝送するＭＰＥＧ２システムを有して、ＤＭＢ送信機からＤＭＢ信号を受信するＤＭＢ受信機の受信方法は、前記ＤＭＢ信号から前記ＰＳＩテーブルをパーシングする段階と、該パーシングされたＰＳＩテーブル内のＩＯＤのオーディオオブジェクトのESディスクリプタとビジュアルオブジェクトの ESディスクリプタを利用してオーディオストリームとビジュアルストリームの情報を抽出する段階と、該分離されたオーディオストリームとビジュアルストリームをディスプレイするように出力する段階と、を順次行うことを特徴とする。
【００２７】
ここで、前記パーシングする段階の以前に、前記ＤＭＢ信号の入力を受けて周波数/時間デインターリービング(deiniterleaving)及びエラー訂正復号化を遂行する段階をさらに包含して行われることを特徴とする。
【発明の効果】
【００２８】
即ち、本発明のＤＭＢ受信機のＭＰＥＧ２システムは、ＰＭＴに含まれたＩＯＤをパーシングすることで、ＩＯＤに含まれたオーディオオブジェクトのESディスクリプタとビジュアルオブジェクトのESディスクリプタを通して現在受信されるストリームがビジュアルストリームであるか、オーディオストリームであるかを識別することができる。従って、前記ＭＰＥＧ２システムは、オーディオオブジェクトのESディスクリプタとビジュアルオブジェクトのESディスクリプタを利用した逆多重化を通して現在ストリームからオーディオストリームとビジュアルストリームとを分離することができる。そして、該分離されたオーディオストリームとビジュアルストリームとは、各デコーダーで該当のアルゴリズムにデコーディングされる。従って、使用者は、ＭＰＥＧ４システムを全体的にサポートしていないＤＭＢ受信機が、ＭＰＥＧ４にコーディングされたオーディオ及びビデオを視聴し得るようになる。
【００２９】
即ち、本発明のＤＭＢ受信機は、ＯＤやＳＤ情報のパーシングを支援するＭＰＥＧ４システムのサポート無しにＭＰＥＧ２システムのみによりＭＰＥＧ４でコーディングされたＡ/Ｖ信号をデコーディングしてディスプレイし得るので、ＤＭＢ受信機の価格を低下し得るようになる。
【００３０】
本発明は、低価格のＤＭＢ受信機が装着された携帯電話やＰＤＡで簡単にＭＰＥＧ４にコーディングされたＡ/Ｖサービスのみを利用しようとする使用者に特に効率的である。
【発明を実施するための最良の形態】
【００３１】
本発明は、ＭＰＥＧ４システムを全体的に支援しないＤＭＢ受信機においても、ＭＰＥＧ４でコーディングされたＡ/Ｖ信号を受信してディスプレイし得るＤＭＢ送信機/受信機及び彼の送信/受信方法である。
【００３２】
、このために本発明は、ＩＯＤシンタックスのESディスクリプタ部分にオーディオオブジェクトのESディスクリプタとビジュアルオブジェクトのESディスクリプタのうち少なくとも何れか一つを包含させる。
【００３３】
下記は、本発明のＩＯＤシンタックスを示している。
Class  InitialObjectDescriptor  extends  ObjectDescriptorBase:bit(８)
tag=Initial  ObjectDescrTag[
bit(１０)ObjectDescriptorID;
bit(１)URL-Flag;
bit(１)includeInlineProfileLevelFlag;
const  bit(４)reserved=０b１１１１;
if(URL-Flag)[
bit(８)URLlength;
bit(８)URLstring[URLlength];
]else[
bit(８)ODProfileLevelIndication;
bit(８)sceneProfileLevelIndication;
bit(８)audioProfileLevelIndication;
bit(８)visualProfileLevelIndication;
bit(８)graphicsProfileLevelIndication;
ESディスクリプタ  esDescr[１．．２５５];
Audio  objectのESディスクリプタ
Visual  objectのESディスクリプタ
OCI-DescriptorociDescr[０．．２５５];
IPMP-DescriptorPointeripmpDescrPtr[０．．２５５];
]
ExtensionDescriptorextDescr[０．．２５５];
]
【００３４】
上記のように本発明のＤＭＢ送信機は、ＩＯＤシンタックスのESディスクリプタ部分にオーディオオブジェクトのESディスクリプタとビジュアルオブジェクトのESディスクリプタのうち少なくとも何れか一つを包含させることで、本発明のＤＭＢ受信機にＤＭＢ信号を伝送する。
【００３５】
本発明のＤＭＢ送信機は、ＭＰＥＧ４システムとＭＰＥＧ２システムを含んでいる。
ＭＰＥＧ４システムは、図２に図示されたように、ＩＯＤ(イニシャル  オブジェクト  ディスクリプタ)シンタックスの所定位置にオーディオオブジェクトのESディスクリプタとビジュアルオブジェクトのESディスクリプタのうち少なくとも何れか一つを包含させて、ＩＯＤにより指示するデータをＭＰＥＧ４アルゴリズムにコーディングする。
【００３６】
ここで、オーディオオブジェクトのESディスクリプタとビジュアルオブジェクトのESディスクリプタは、ＩＯＤタックスのESディスクリプタフィールド内に含まれることができる。
【００３７】
そして、ＩＯＤシンタックスは、オブジェクト  ディスクリプタ(ＯＤ)ストリームに関する情報、シーンディスクリプタ(ＳＤ)ストリームに関する情報、オーディオストリームに関する情報及びビジュアルストリームに関する情報などを含むことができる。
【００３８】
また、シーンディスクリプタ(ＳＤ)ストリームに関する情報は、使用者と話し合えるコンテンツの表現方式に対する情報を有するＢＩＦＳ(シーンディスクリプション用バイナリーフォーマット)を含むこともできる。
【００３９】
次いで、ＭＰＥＧ２システムは、ＩＯＤをＰＳＩ(プログラム  スペシフィック  インフォメーション)テーブルに包含させて、ＰＳＩテーブルとＭＰＥＧ４システムから受信されたデータをＭＰＥＧ２方式によりコーディングして伝送する。
【００４０】
ここで、ＰＳＩテーブルはＰＭＴ(プログラム  マップ  テーブル)であって、ＰＭＴにはＩＯＤとＳＬディスクリプタを含むことができる。そして、ＭＰＥＧ２システムは、前記データをＯＦＤＭ(直交波周波数分割多重)方式で伝送することができる。
【００４１】
一方、ＰＳＩテーブルは、本発明のＤＭＢ受信機で必要とする情報を有している。即ち、ＤＭＢ受信機は、受信されるプログラムのデコーディングのためにＰＳＩテーブルから必要な情報を抽出する。
【００４２】
ＰＳＩテーブルの中で、ＰＡＴ(プログラム  アソーシエーション  テーブル)は、ＰＩＤ(プログラム  アイデンティフィケーション)=０であるパッケージにより送信される情報である。即ち、ＰＡＴは、各プログラム番号毎に該各プログラムの構成要素を記述するが、プログラムマップテーブル(ＰＭＴ)を伝送するトランスポートパッケージのＰＩＤを示す。
【００４３】
このプログラムマップテーブル(PMT)は、プログラム識別番号と、トランスポートパッケージのＰＩＤリストと、その部属情報などを含んでいる。即ち、ＰＭＴの役割は、個別ＰＩＤと必要なストリームをマッピング(mapping)することにある。
【００４４】
以下は、ＭＰＥＧ２  ＴＳでＰＭＴシンタックスを示している。
TS-Program-Map-Section () [
table-id
section-syntax-indicator
'0'
reserved
section-length
program-number
reserved
version-number
current-next-indicator
section-number
last-section-number
reserved
PCR-ＰＩＤ
reserved
program-info-length
for (I=0;I<N;I++) [
descriptor();  //  IOD descriptorが入ってくることのできる席
]
for (I=0;I<N1;I++) [
stream-type;
reserved;
elementary-ＰＩＤ;
reserved;
ES-info-length;
for (j=0;j<N2;j++) [
descriptor(); //  SL-descriptorが入ってくることのできる席
]
]
CRC-32
]
【００４５】
本発明のＤＭＢ送信機で、ＭＰＥＧ４アルゴリズムによりコーディングされたデータをＭＰＥＧ２システムに定義した方式によりパケットする時、前記ＰＭＴシンタックスの所定位置にＭＰＥＧ４システムで定義されたＩＯＤ  ディスクリプタとＳＬディスクリプタを含むことができる。
【００４６】
このように、ＤＭＢ送信機からＤＭＢ信号を受信する本発明のＤＭＢ受信機は、ＩＯＤ(イニシャル  オブジェクト  ディスクリプタ)シンタックスの所定位置にオーディオオブジェクトのESディスクリプタとビジュアルオブジェクトのESディスクリプタを含むＭＰＥＧ４システムと、前記ＩＯＤをＰＳＩ(プログラム  スペシフィック  インフォーメーション)テーブルに包含させて伝送するＭＰＥＧ２システムを有する。
【００４７】
このＤＭＢ送信機からＤＭＢ信号を受信する本発明のＤＭＢ受信機は、ＤＭＢ信号からＰＳＩテーブルをパーシングし、このパーシングされたＰＳＩテーブル内のＩＯＤのオーディオオブジェクトのESディスクリプタとビジュアルオブジェクトのESディスクリプタを利用してオーディオストリームとビジュアルストリームの情報を抽出するＭＰＥＧ２システムを構成している。
【００４８】
場合によって、本発明のＤＭＢ受信機は、受信されるＤＭＢ信号を周波数/時間デインターリービング及びエラー訂正復号化を遂行し、前記復号化されたＤＭＢ信号を前記ＭＰＥＧ２システムに出力するユーレカ-１４７システムに更に含んで構成することもできる。
【００４９】
本発明のＤＭＢ受信機は、ＤＭＢ信号の入力を受けて周波数/時間デインターリービング及びエラー訂正復号化を遂行する。そして、エラー訂正復号化されたＤＭＢ信号からＰＭＴをパーシングし、該パーシングされたＰＭＴテーブルにあるＩＯＤのオーディオオブジェクトのESディスクリプタとビジュアルオブジェクトのESディスクリプタを利用してオーディオストリームとビジュアルストリームの情報を抽出する。次いで、該抽出したオーディオストリームとビジュアルストリームをディスプレイするように出力する。
【図面の簡単な説明】
【００５０】
【図１】従来のＤＭＢサービスのデータ構造を示した図である。
【図２】本発明によるＤＭＢサービスのデータ構造を示した図である。
【図１】
2005006336.tif 000003
【図２】
2005006336.tif 000004